(57)【要約】      （修正有）【課題】高齢者の足首が伸びたままの尖足状態を防止する用具を提供する。【解決手段】ベッド本体と、支柱をいろいろな機能を持たせて折り曲げた形状をした一本の尖足予防支柱と、その尖足予防支柱を差し込んでスライド移動する事が出来る支柱受け配管と、足裏もたれ袋を組み合わせて使用する組み合わせ構造で、ベッドに取り付けて使用する尖足予防用具を構成し、寝ている足が掛布団に圧迫されて絡み付き足の動きを制限する現状の環境を改善し、足首の角度を保ちながら足首を微動させる事で尖足拘縮進行を予防する。【選択図】図５
2014239803.tif 000002
【特許請求の範囲】
【請求項１】
ベッドの両サイドに水平スライド機器を取り付け、該水平スライド機器上をスライドする尖足予防支柱を設け、該尖足予防支柱は該ベッドをまたがっており、該尖足予防支柱の中央部からぶら下がる足裏もたれ袋を設けた事を特徴とする尖足予防用具。
【請求項２】
前記尖足予防支柱はベッド両端にある該水平スライド機器に差し込め、この構造は敷布団の上面で支える為に敷布団の上に乗る水平支柱を設け、両足の幅を確保できるところで敷布団上方に立ち上がった掛布団支え立支柱を有し、略コの字型の頂辺である掛布団支え横支柱を有した事を特徴とし、前記掛布団支え横支柱に足裏もたれ袋をぶら下げた事を特徴とする請求項１記載の尖足予防用具。
【請求項３】
前記掛布団支え立支柱は足の付け根方向に前傾した事を特徴とする請求項２に記載の尖足予防用具。
【請求項４】
前記足裏もたれ袋にポケットを具備した事を特徴とする請求項１又は請求項２又は請求項３に記載の尖足予防用具。
【発明の詳細な説明】
【技術分野】
【０００１】
本発明は高齢化や足の障害が原因で、歩く機会が少なくなり、足が衰弱し足首が伸びた尖足症状が進行し、放置しておくと尖足したまま拘縮した状態となり歩くことが困難になってしまうのを、事前に予防する為の、ベッドに取り付けて使用する尖足予防用具に関するものである。
【背景技術】
【０００２】
高齢等で足や体が衰弱してくると、寝ている状態の体が起き上がりし易いベッドを日常生活で使用するのが一般的となっており、特に急増している施設関係ではベッド生活が主流となっている。
【０００３】
現在の布団で寝ている環境は、掛け布団が足先を尖足状態に押しつけたままで絡みついた状態となり、足首が伸びた状態で固定され、布団内には空間が無い為に足を動かすのが難しく、知らず知らずの内に尖足拘縮を進行させる大きな要因となっている。  
【０００４】
現在の介護ベッドには、起き上がり補助、食事し易い角度に調整出来る等の背上げ機能、脚上げ機能、ベッドの高さ調整機能等が装備されているが、使用時間が最も長く寝ている状態で利用できる機能は特に見当たらない。
【０００５】
現在使用されているベッドには、一般用、介護用、フットボードが設置されている物、設置されていない物等いろいろの種類がある。
【０００６】
自力で足を動かす事が難しい方は、介助者の補助を受けながら、立たせてもらったり、足のマッサージを受けたりしながら足の機能を維持し尖足を予防する方法しか取られていない。    
【０００７】
以下の特許文献には、尖足対策ベッド装置や、ブランコ式足の介護用具の文献がある。
【先行技術文献】
【特許文献】
【０００８】
【特許文献１】特開２００６−１３６６６８
【特許文献２】特願２０１２−１５８９８
【発明の概要】
【発明が解決しようとする課題】
【０００９】
尖足防止用具に関し特許文献１には、ベッドのフットボードの位置を調整して足裏をフットボードに当てる事により足首の角度を保持する方法が開示されているが、足首の角度を変える事で尖足の予防には役立つが、長時間固定されたまま足首を動かす事が無いので拘縮の予防にはならない問題と、フットボードが付いていないベッドには採用出来ない問題がある。    
【００１０】
特許文献２の単独用具として使用するブランコ式足の介護用具は、足を囲む支柱枠の中で足裏を足裏もたれ袋にもたれ掛け、足首の角度を保持し、足裏もたれ袋が反動する度に足首が微動する構造の物で尖足と拘縮予防には効果が大きいが、底板が可動するベッド上ではこの用具を使用するのは難しい。
【００１１】
又、ブランコ式足の介護用具は単独用具の為に、足の周りに空間を確保する為にはどうしても足を中心にして周りを４本の支柱で支える箱型支柱枠構造となってしまい、その支柱枠が足の置き場を制限する為に窮屈感と、足が支柱に接触する違和感がある。
【００１２】
尖足予防用具は、用具を今から使用するとゆう感覚ではなく、寝ている環境自体が尖足を予防できる環境にして、その環境の中で寝ているだけで足をリラックスすることが出来れば、徐々に進行する尖足拘縮を寝ながら予防対応する事が出来る。
【００１３】
寝ている状態で足に悪影響を与えていると思われる、掛布団の重さによる足先圧迫と、布団内の絡み付き環境により足の動きが制限される事を解消する事が何と言っても尖足予防には最低限必要であり、尖足症状が進行中の方には、足首の角度を保ちながら足首を動かせる装置が必要である。
【００１４】
ベッドに取り付ける尖足予防用具は、どのような種類のベッドにも取り付けられる構造とし、健常者が使用している一般ベッドに取り付けても、取り付けた用具が邪魔にならず、ベッドの使用環境が良くなったと感じて頂ける物でなくてはならない。
【００１５】
各人寝ている足の位置が異なる等、尖足予防用具は設置したい任意の位置に移動する機会が多く、用具を簡単に移動する事が出来る移動装置が必要である。
【課題を解決するための手段】
【００１６】
ベッドの両サイドに水平スライド機器を取り付け、該水平スライド機器上をスライドする尖足予防支柱を設け、該尖足予防支柱は該ベッドをまたがっており、該尖足予防支柱の中央部からぶら下がる足裏もたれ袋を設けた事を特徴とする尖足予防用具。
【００１７】
尖足予防支柱はベッド両端にある水平スライド機器に差し込め、この構造は敷布団の上面で支える為に敷布団の上に乗る水平支柱を設け、両足の幅を確保できるところで敷布団上方に立ち上がった掛布団支え立支柱を有し、略コの字型の頂辺である掛布団支え横支柱を有した事を特徴とし、前記掛布団支え横支柱に足裏もたれ袋をぶら下げた事を特徴とする。
【００１８】
尖足予防支柱のコの字型掛布団支え立支柱は足の付け根方向に前傾させる。
【００１９】
足裏もたれ袋にはポケットを具備する。
【発明の効果】
【００２０】
尖足予防が必要と思われる多くの方は、起き上がりがし易いベッドを使用しているのが一般的となっており、畳の上で単独で使用する用具よりも、ベッド本体に取り付けた状態で簡単に使用出来る尖足予防用具の方が便利である。
【００２１】
敷布団を支え足の周囲に空間を確保する為には数本の支柱を組み合わせで箱型支柱枠を組むのが一般的ですが、一本の支柱を平面的に折り曲げ一部前傾形状にするだけで箱型支柱枠と同じ効果を得る事が出来る。
【００２２】
一本の尖足予防支柱の前後転倒を防止する支柱は、ベッド本体に固定した支柱受け配管に差し込む構造とする事で、寝ている足周りには転倒防止用支柱が不要となり、転倒防止用支柱が足に接触する事はない。
【００２３】
コの字型をした掛布団支え支柱を前傾角度とする事で、掛布団の重さを支えるだけでなく、掛布団が足に絡み付かず、足の周りに空間が確保できる事で。足を動かし易く、湿気、臭気の環境改善も図ることが出来る上に、コの字型の部分だけ掛布団が盛り上がるだけで掛布団と敷布団の周囲には隙間が出来ないし、ベッドをまたがる長い支柱のどの部分も体に触れる事は無い。  
【００２４】
前傾したコの字型の掛布団支え支柱に、ポケットの付いた足裏もたれ袋を吊り下げて、両足裏を足裏もたれ袋にもたれ掛けておくことで、足裏感覚を意識させ、足首の角度を保ち、足裏もたれ袋が振り子の反動運動で微動する動きが足裏に伝わり足首が微動するので、尖足拘縮予防には理想的な効果を得ることが出来る。
【００２５】
冬場の寒い日には  足裏もたれ袋の裏側に取り付けたポケットにミニカイロを入れて足周りの空間全体を温める事が出来、局所暖房とならないので皮膚がやけどする心配がない。
【００２６】
尖足予防支柱両端を、ベッド両サイドに取り付けたスライド機能を有する支柱受け配管との差し込み使用構造にする事で、尖足予防支柱を任意の位置に移動させたい時は、支柱の上に乗っている部分の掛布団を取り払い、一本の尖足予防支柱のみを敷布団から少し上に持ち上げて手で押せば、敷布団の摩擦を受けず、スライド機器にも重量が掛からないので簡単にスライド出来て、任意の位置で持ち上げていた支柱を降ろせば支柱に掛かる重量を敷布団で支えられのでその場に固定できるし、もし使用しない時はベッドの端まで移動するか、支柱受け配管から抜き取れば良いし、もしもベッドの底板が動いても、支柱差し込み部で敷布団の移動位置に合わせた分だけ差し込み長さが調整されるので対応する事が出来る。
【００２７】
ベッドに固定する水平スライド機器の取り付け位置を、ベッドのサイドフレームにする事で、ほとんどのベッドに取り付ける事が出来る。
【００２８】
尖足予防支柱の差し込み支柱とベッド本体に固定した支柱受け配管の長さを、差し込み支柱の方を支柱受け配管より短くすることで、尖足予防支柱に掛かる重量は支柱受け配管ではなく、差し込み側の敷布団の上に乗る水平支柱に掛かる事になり、敷布団上で支えられて固定されるので、スライド機器にストッパー機能は不要であり、スライド機器への負荷も低減出来る。    
【図面の簡単な説明】
【００２９】
【図１】尖足予防支柱を差し込む為のスライド機器と支柱受け配管の取り付け図
【図２】尖足予防支柱の形態図
【図３】尖足予防支柱を支柱受け配管に差し込んだ図
【図４】掛布団支え支柱に足裏もたれ袋を吊り下げた図
【図５】尖足予防支柱に足裏もたれ袋を吊り下げた尖足予防用具の使用図
【発明を実施するための形態】
【００３０】
布団で寝ている状態で尖足進行の要因となる掛布団の重さと絡み付きを解消し、足の周りに空間を確保する事の出来る構造に折り曲げた一本の支柱を、ベッド本体の両サイドフレームに取り付けたスライド機能を有する支柱受け配管に差し込み、寝ている足に支柱が触れずにベッドで使用することが出来る差し込み式構造と、尖足進行症状により足裏もたれ袋を吊るして使用する構造の尖足予防用具の実施例を以下に示します。
【実施例】
【００３１】
図１に示すように、ベッド本体の左右両サイドフレーム（３）に寝ている状態の足位置からベッドの端位置までの間をスライドする水平スライド機器（４）を取り付けて固定し、その左右各々の上に、尖足予防支柱の差し込み支柱（１０）の両端を、差し込み口（６）から差し込める支柱受け配管（５）を垂直方向に取り付ける。
【００３２】
ベッドには固定しないが、図２に示すように、一本の支柱を中央部の足上で掛布団を支えることが出来る掛布団支え横支柱（７）と、足に支柱が触れないように前傾させた掛布団支え立支柱（８）でコの字型の支柱を形成し、その前傾した掛布団支え立支柱（８）の下に足を差し込める空間を確保することが出来るようにし、そのコの字型支柱の開いている両端を外側に向けて両ベッドのサイド位置までまたがるように水平に折り曲げて敷布団の上に乗る水平支柱（９）を構成し、敷布団（１）でコの字型支柱に掛かる掛布団の重さを支える機能を果たし、コの字型の支柱が前後に倒れないように固定する為にベッドサイドまで水平に伸ばした敷布団の上に乗る水平支柱（９）両端を、ベッド本体に固定した支柱受け配管（５）の差し込み口（６）から差し込めるように下側に垂直に曲げて差し込み支柱（１０）部を構成し、一本の支柱の折り曲げた部分部分に各々の機能を持たせ差し込み式の尖足予防支柱とする。
【００３３】
差し込み支柱（１０）の長さは支柱受け配管（５）の長さよりも短くして、コの字型の支柱に掛かる重量を全て敷布団の上に乗る水平支柱（９）に掛かるようにし、尖足予防支柱が、スライド機器にストッパーを備えなくても敷布団の上で掛け布団（１４）の重量を利用して固定されるようにする。
【００３４】
尖足予防支柱の移動方法は、図３に示すように、尖足予防支柱をベッドに固定した水平スライド機器（４）に取り付けた支柱受け配管（５）に差し込んだ状態で尖足予防支柱を敷布団面から少し持ち上げた状態で任意の位置までスライドさせ、その場で敷布団上に降ろせばその位置で固定され簡単に任意の位置まで移動させることが出来る。
【００３５】
図４に示すように、掛布団支え横支柱（７）に取り外し自在な吊り紐（１１）で足裏もたれ袋（１２）を吊り下げ、図５に示すように、掛布団（１４）を支えている掛布団支え横支柱（７）の下で両足裏を足裏もたれ袋（１２）にもたれ掛けて足首の角度を保ちながら足首が足裏もたれ袋（１２）の振り子反動で微動する事が出来るようにする。
【００３６】
両端を吊り紐で吊られる足裏もたれ袋（１２）の構造は両足裏がもたれ掛ける事が出来る長さの円筒形をした布袋で、中にはタオルのような弾力があり伸縮性のある材質の物を挿入し、もたれ掛っている足の圧力で少し凹む事により足をしっかり抱え込み、袋の裏側にはポケット（１３）を取り付けて消臭剤、乾燥剤、ミニカイロ等好みの物を入れて使用する事が出来るようにする。  
【００３７】
以上の実施例で示すように、一本の支柱を各部機能に折り曲げた一本の尖足予防支柱と、支柱受け配管と、スライド機器と、ベッド本体と、吊り紐で吊り下げる足裏もたれ袋を組み合わせて使用する構造の、ベッドで使用する尖足予防用具とする。
【符号の説明】
【００３８】
（１）敷布団
（２）マット
（３）サイドフレーム
（４）水平スライド機器
（５）支柱受け配管
（６）差し込み口
（７）掛布団支え横支柱
（８）掛布団支え立支柱
（９）敷布団の上に乗る水平支柱
（１０）差し込み支柱
（１１）吊り紐
（１２）足裏もたれ袋
（１３）ポケット
（１４）掛け布団
（１５）足
【図１】
2014239803.tif 000003
【図２】
2014239803.tif 000004
【図３】
2014239803.tif 000005
【図４】
2014239803.tif 000006
【図５】
2014239803.tif 000007